(57)【要約】  張力機構を有する縫合糸アンカードライバー。縫合糸アンカードライバーは、近位端および遠位端を有するハンドルを有する。ハンドルは、そこから中央に延在するシャフトを有するくぼみを有する。縫合糸アンカードライバーは、戻り止めリングおよびスプールを有する。戻り止めリングは、中央開口部および一つ以上の突起を有する。スプールは、中央開口部を有し、第一の構成と第二の構成との間で回転可能である。スプールは、その側面から延在する複数の突出部を有する。シャフトは、戻り止めリングの突起がスプールから延在する突出部に隣接するように、戻り止めリングの中央開口部およびスプールの中央開口部を通って延在する。第一の構成では、突起のうちの一つは突出部のうちの二つの間に延在する。第二の構成では、突起のうちの一つは突出部のうちの一つと整列している。【選択図】図１０
2021516585.tif 000002
【特許請求の範囲】
【請求項１】
縫合糸アンカードライバーであって、
近位端および遠位端を有するハンドルと、
そこから中央に延在するシャフトを有する、前記ハンドル内のくぼみと、
中央開口部を有する戻り止めリングであって、前記戻り止めリングが一つ以上の突起を有する、戻り止めリングと、
中央開口部を有するスプールであって、前記スプールが、第一の構成と第二の構成との間で回転可能であり、前記スプールが第一の側面および第二の側面を有し、前記第二の側面がそこから延在する複数の突出部を有する、スプールと、を備え、
前記シャフトが、前記戻り止めリングの前記突起が前記スプールから延在する前記複数の突出部に隣接するように、前記戻り止めリングの前記中央開口部および前記スプールの前記中央開口部を通って延在し、
前記第一の構成では、前記一つ以上の突起のうちの一つが前記複数の突出部のうちの二つの間に延在し、前記第二の構成では、前記一つ以上の突起のうちの一つが前記複数の突出部のうちの一つと整列している、縫合糸アンカードライバー。
【請求項２】
前記ハンドルの前記遠位端から延在するドライバーをさらに備える、請求項１に記載の縫合糸アンカードライバー。
【請求項３】
前記一つ以上の突起が、前記戻り止めリングから前記くぼみ内の前記スプールの前記第二の側面に向かって延在する、請求項１に記載の縫合糸アンカードライバー。
【請求項４】
前記複数の突出部が、前記スプールの前記第二の側面から前記くぼみ内の前記戻り止めリングに向かって延在する、請求項３に記載の縫合糸アンカードライバー。
【請求項５】
前記一つ以上の突起が、前記戻り止めリングから半径方向に延在するアームである、請求項１に記載の縫合糸アンカードライバー。
【請求項６】
前記複数の突出部が、前記スプールの前記中央開口部に向かって半径方向に延在する、請求項５に記載の縫合糸アンカードライバー。
【請求項７】
前記シャフトがプロング端をさらに含む、請求項１に記載の縫合糸アンカードライバー。
【請求項８】
前記くぼみが前記ハンドルの第一の側面に延在する、請求項１に記載の縫合糸アンカードライバー。
【請求項９】
前記ハンドルの外部上にスロットをさらに備え、前記スロットが前記くぼみ内に延在する、請求項１に記載の縫合糸アンカードライバー。
【請求項１０】
前記スロットが、前記ハンドルの前記遠位端から延在するドライバーに隣接している、請求項９に記載の縫合糸アンカードライバー。
【請求項１１】
前記スプールの周りに巻かれ、前記ハンドル上の前記スロットを通って延在する縫合糸をさらに備える、請求項９に記載の縫合糸アンカードライバー。
【請求項１２】
前記スプールが、前記第一の側面上に、それを通して前記縫合糸の端を受容するように構成された開口部を含む、請求項１０に記載の縫合糸アンカードライバー。
【請求項１３】
そこから中央に延在するステムを有するキャップを有する締結具をさらに備え、前記ステムが、前記シャフトの内側チャネル内に延在するように構成される、請求項１に記載の縫合糸アンカードライバー。
【請求項１４】
前記一つ以上の突起のうちの少なくとも一つが、所定の力の印加毎に、前記複数の前記突出部の二つの間から、前記複数の前記突出部のうちの隣接する二つに移動するように構成される、請求項１に記載の縫合糸アンカードライバー。
【請求項１５】
前記所定の力が、前記スプールの周りに巻かれ、前記ハンドル上の前記スロットを通って延在する縫合糸に対して付与される、請求項１４に記載の縫合糸アンカードライバー。
【請求項１６】
前記所定の力が、前記縫合糸に取り付けられたアンカーに対して付与される、請求項１４に記載の縫合糸アンカードライバー。
【請求項１７】
縫合糸アンカードライバーであって、
近位端と、遠位端と、およびそこから延在する歯止めを有するロックアームとを有する、ハンドルと、
くぼみを横切って延在するバリア部材を有する前記ハンドル内の前記くぼみであって、前記くぼみが、第一の表面および第二の表面を有しそれらの間に延在する少なくとも部分的に分離された第一のチャネルおよび第二のチャネルを有するスプールを保持するように構成される、前記くぼみと、
前記スプールの前記第二の表面から半径方向に延在する複数の歯と、
縫合糸の長さに接続された針を収納するように構成された、前記スプールの前記第二のチャネル内のくぼみと、を備え、
第一の構成では、前記ロックアームの前記歯止めが、前記複数の歯のうちの二つの間に延在し、第二の構成では、前記歯止めが前記複数の歯の上方にあるように、前記ロックアームが移動し、
前記スプールが、前記第一の構成では回転可能ではなく、前記第二の構成では回転可能である、縫合糸アンカードライバー。
【請求項１８】
前記ハンドルの遠位端に、ガイドの特徴を受容するように構成されたスロットをさらに備える、請求項１７に記載の縫合糸アンカードライバー。
【請求項１９】
前記ガイドの前記特徴が、前記特徴が前記スロット内にあるときに、前記ハンドルの前記ロックアームを移動させる、請求項１８に記載の縫合糸アンカードライバー。
【請求項２０】
前記ハンドルの前記遠位端から延在するドライバーをさらに備える、請求項１７に記載の縫合糸アンカードライバー。
【請求項２１】
前記第二の構成における前記スプールの回転が、前記縫合糸の長さに張力を解放する、請求項１７に記載の縫合糸アンカードライバー。
【請求項２２】
前記針が、発泡体ブロック内に少なくとも部分的にあり、前記発泡体ブロックが、前記スプールの前記第二のチャネル内の前記くぼみ内に収納される、請求項１７に記載の縫合糸アンカードライバー。
【請求項２３】
縫合糸アンカーに接続された縫合糸の長さが前記スプールの周りに巻かれ、前記縫合糸の長さが前記ハンドルの前記遠位端から延在する、請求項１７に記載の縫合糸アンカードライバー。
【発明の詳細な説明】
【技術分野】
【０００１】
関連出願の相互参照
本出願は、２０１８年３月２３日出願の「Ｑｕｉｃｋｓｅｔ  Ａｎｃｈｏｒ  Ｓｙｓｔｅｍ」と題された、米国仮特許出願第６２／６４６，９５４号、２０１８年３月２３日出願の「Ａｕｔｏ  Ｒｅｌｅａｓｅ  Ｓｐｏｏｌ」と題された、米国仮特許出願第６２／６４７，２５５号、および２０１８年３月２６日出願の「Ａｕｔｏ  Ｒｅｌｅａｓｅ  Ｓｐｏｏｌ」と題された、米国仮特許出願第６２／６４８０３４号に優先権を主張する。
【０００２】
発明の分野
本開示は一般に、軟組織の骨修復手技のための縫合糸アンカー装置に関し、より具体的には、張力機構を有する縫合糸アンカードライバーに関する。
【背景技術】
【０００３】
関連技術の説明
縫合糸アンカーは通常、外科手技において軟組織を骨に修復するために使用される。通常、縫合糸アンカーは最初に、ドライバーと共に予め形成された穴に挿入される。次に、保持クリートから引っ張ることで、縫合糸がドライバーから取り外される。多くの縫合糸アンカードライバーにおいて、アンカーを挿入した後に縫合糸および針を外すことは、手技中に余分な時間を必要とする追加のステップである。全縫合糸アンカーなどの配置可能なアンカーの場合、牽引力を縫合糸リムに印加して、アンカーをその最終形状に形成し、アンカーを骨穴に固定する必要がある。現在、ドライバーを取り外す工程、縫合糸を解放する工程、およびアンカーを牽引する工程は別個に実行されており、これによって外科医の効率が低下し、疲労が増大することになる。
【０００４】
そのため、配置可能なアンカーをその最終形状に付勢し、ハンドルから縫合糸を自動的に解放する張力機構を有する使いやすい縫合糸アンカードライバーのニーズが存在する。
【発明の概要】
【０００５】
本発明の実施形態は、縫合糸アンカードライバーに関する。一態様によれば、縫合糸アンカードライバーは、近位端および遠位端を有するハンドルを有する。ハンドルは、そこから中央に延在するシャフトを有するくぼみを有する。縫合糸アンカードライバーは、戻り止めリングおよびスプールを有する。戻り止めリングは、中央開口部および一つ以上の突起を有する。スプールは、中央開口部を有し、第一の構成と第二の構成との間で回転可能である。スプールは第一の側面および第二の側面を有する。第二の側面は、そこから延在する複数の突出部を有する。くぼみ内のシャフトは、戻り止めリングの突起がスプールから延在する複数の突出部に隣接するように、戻り止めリングの中央開口部およびスプールの中央開口部を通って延在する。第一の構成では、一つ以上の突起のうちの一つは、複数の突出部のうちの二つの間に延在する。第二の構成では、一つ以上の突起のうちの一つは、複数の突出部のうちの一つと整列している。
【０００６】
別の態様によれば、縫合糸アンカードライバーは、近位端、遠位端、およびそこから延在する歯止めを有するロックアームを有する、ハンドルを有する。ハンドルは、それを横切って延在するバリア部材を有するくぼみを有する。くぼみは、第一の表面および第二の表面を有するスプールを保持するように構成される。スプールは、第一の表面と第二の表面との間に少なくとも部分的に分離された第一のチャネルおよび第二のチャネルを有する。複数の歯は、スプールの第二の表面から半径方向に延在する。スプールの第二のチャネルは、縫合糸の長さに接続された針を収納するように構成されたくぼみを有する。第一の構成では、ロックアームの歯止めは、複数の歯のうちの二つの間に延在する。第二の構成では、ロックアームは、歯止めが複数の歯の上方にあるように移動する。スプールは、第一の構成では回転可能ではなく、第二の構成では回転可能である。
【０００７】
本明細書に記載の一部の実施形態によれば、縫合糸は、縫合糸アンカードライバーまたはアンカー配置装置のハンドルのスプール（例えば、静的戻り止めリングに対してスピン可能）から解放／巻き出すことができるが、スプールは、（一例として）回転することができるようになる前に、張力機構である、静的戻り止めリング上のフィンガー様またはその他の突起に影響を与えてこれを偏向させるスプールの歯によって付与される力を克服する必要があり、次に、縫合糸（スプールの周りに巻かれ、ハンドル上のスロットを通って延在する）および取り付けられたアンカー（アンカーが骨穴内に少なくともある程度固定されている場合）に対して張力を付与する。アンカーが軟質アンカーである場合、アンカーが骨穴内に設定／配置された後、この力を調整、予め設定および／または構成／利用して、軟質アンカーを設定、および／または軟質アンカーの設定／配置をテストしうる。さらに、力を使用して、硬質アンカーの設定／配置をテストしうる。張力機構によって付与される力を克服し、スプールを回転させて配置／設定および／またはテストするために使用される力は、ハンドルを骨穴／配置部位から離れる方向に引っ張ることによってユーザーによって与えられる。張力機構によって付与される力は、本開示のレビューと併せて、当業者によって理解されるべきであるように、例えば、フィンガー様の突起の（または歯の）厚さ、密度および／または長さを変更することによることを含む、多くの方法で増大／減少しうる。
【０００８】
当然のことながら、以下でより詳細に考察した前述の概念および追加的概念のすべての組み合わせは（そのような概念は互いに矛盾していないとすると）、本明細書に開示される本発明の主題の一部であると考えられる。特に、本開示の最後に現れる請求項に記載された主題のすべての組み合わせは、本明細書に開示される本発明の主題の一部であると考えられる。また、参照により組み込まれる任意の開示においても現れうる、本明細書において明示的に用いられる用語は、本明細書に開示される特定の概念と最も一致する意味と一致するものを理解されるべきである。
【０００９】
本発明のこれらおよびその他の態様は、以下に記述される実施形態を参照して明らかになり、解明されるであろう。
【図面の簡単な説明】
【００１０】
本発明の一つまたは複数の態様は、本明細書の終了時に特許請求の範囲の例として特に指摘され、特定的に特許請求される。本発明の前述およびその他の物体、特徴、および利点は、以下の記述から添付図面と併せて明らかである。
【００１１】
【図１】図１は、一実施形態による、縫合糸アンカードライバーの概略部分分解斜視図である。
【図２】図２は、一実施形態による、縫合糸アンカードライバーの概略部分切欠底面図である。
【図３】図３は、一実施形態による、縫合糸アンカードライバーの張力機構の戻り止めリングの概略斜視図である。
【図４】図４は、一実施形態による、第一の構成にあるスプールおよび戻り止めリングの概略切欠側面図である。
【図５】図５は、一実施形態による、第二の構成にあるスプールおよび戻り止めリングの概略切欠側面図である。
【図６】図６は、代替的な実施形態による、縫合糸アンカードライバーの概略斜視図である。
【図７】図７は、代替的な実施形態による、縫合糸アンカードライバーの概略部分分解斜視図である。
【図８】図８は、代替的な実施形態による、第一の構成にあるアンカードライバーの戻り止めリングおよびスプールの概略側面図である。
【図９】図９は、代替的な実施形態による、第二の構成にあるアンカードライバーの戻り止めリングおよびスプールの概略側面図である。
【図１０】図１０は、別の代替的な実施形態による、縫合糸アンカードライバーの部分分解斜視図である。
【図１１】図１１は、さらに別の代替的な実施形態による、第一の構成にある縫合糸アンカードライバーの概略側面図である。
【図１２】図１２は、さらに別の代替的な実施形態による、ガイドに挿入された縫合糸アンカードライバーのドライバーの概略側面図である。
【図１３】図１３は、さらに別の代替的な実施形態による、第二の構成にある縫合糸アンカードライバーの概略側面図である。
【図１４】図１４は、さらに別の代替的な実施形態による、縫合糸アンカードライバーのスプールおよび縫合糸構成要素の概略斜視図である。
【図１５】図１５は、さらに別の代替的な実施形態による、縫合糸アンカードライバーのスプールの概略上面図である。
【図１６】図１６は、さらに別の代替的な実施形態による、縫合糸構成要素がその上に装填されたスプールの概略上面図である。
【図１７】図１７は、さらに別の代替的な実施形態による、縫合糸アンカードライバーに装填されたスプールの概略上面図である。
【発明を実施するための形態】
【００１２】
本発明の態様および特定の特徴、利点、およびその詳細は、添付図面に図示した非限定的な例を参照しながらより完全に以下に説明される。本発明の詳細を不必要に不明瞭にしないよう、周知の構造の説明は省略される。しかしながら、本発明の態様を示しつつ、詳細な説明および特定の非限定的な例は、例示のみによって与えられ、限定されるものではないことが理解されるべきである。本発明の基礎となる概念の精神および／または範囲内での様々な置換、修正、追加、および／または配置は、本開示から当業者には明らかであろう。
【００１３】
ここで図面を参照すると、同様の参照番号が全体を通して同様の部分を指しており、図１は、一実施形態による、縫合糸アンカードライバー１００の概略斜視図を示す。縫合糸アンカードライバー１００はハンドル１０２を備える。ハンドル１０２は、中央長手方向ｙ−ｙ軸に沿って近位端１０４から遠位端１０６に延在する。ハンドル１０２は、例えば、円筒形または長方形などの任意の形状でありうる。図示した実施形態に示すように、ハンドル１０２は、ハンドル１０２がユーザーの手の中に適合するように構成されるように人間工学的に設計されている。ハンドル１０２は、プラスチックまたは任意のその他の適切な材料（本開示のレビューと併せて当業者によって理解されるべきであるように）からなりうる。
【００１４】
ここで図２を参照すると、一実施形態による、縫合糸アンカードライバー１００の概略部分切欠底面図が示されている。図１に示すアンカードライバー１００はまた、ハンドル１０２の遠位端１０６内に延在するドライバー１０８も備える。ドライバー１０８は、ステンレス鋼などの金属または任意のその他の適切な材料（本開示のレビューと併せて当業者によって理解されるべきであるように）からなりうる。図示した実施形態では、ドライバー１０８は、中央長手方向ｙ−ｙ軸に沿って遠位端１０６から遠位に延在する。
【００１５】
図１および図２に示すように、アンカードライバー１００はさらに、張力機構２００を備える。張力機構２００は、図１に示すように、戻り止めリング２０２、スプール２０４、およびシャフト２０６を含む。図１に示す実施形態では、ハンドル１０２は、その中に戻り止めリング２０２およびスプール２０４を軸方向に保持するようにサイズ決めされ、構成されたくぼみ１１０を含む。シャフト２０６は、くぼみ１１０内の中央に位置し、くぼみ１００からハンドル１０２の第一の側面１１２に延在する。図示した実施形態では、シャフト２０６は、ハンドル１０２の第一の側面１１２を越えて延在しない（延在することは可能である）。さらに、図１および図２に示すように、シャフト２０６は、戻り止めリング２０２およびスプール２０４がくぼみ１１０内にシャフト２０６の周りに取り外し可能に取り付けられうるように、プロング端２０８を有する。プロング端２０８は、戻り止めリング２０２およびスプール２０４をくぼみ１１０内に維持するが、プロング端２０８のプロングが相互に向かって移動すると、戻り止めリング２０２およびスプール２０４はくぼみ１１０から取り外されうる。
【００１６】
さらに図２を参照すると、戻り止めリング２０２は、くぼみ１１０内にシャフト２０６の周りに位置付けられる。スプール２０４は次に、スプール２０４がハンドル１０２の第一の側面１１２に延在するように、くぼみ１１０内にシャフト２０６の周りに、戻り止めリング２０２上に位置付けられる。スプール２０４をくぼみ１１０内に挿入する前に、縫合糸３００（縫合糸アンカー（図示せず）に接続されている）がスプール２０４の周りに巻かれる。縫合糸アンカー（図示せず）は、米国特許第９，８２６，９７１号に示され説明される全縫合糸または「軟質」アンカーなどの任意のアンカーであってもよく、米国特許第９，８２６，９７１号の全体が参照により本明細書に組み込まれる。
【００１７】
簡単な背景として、縫合糸アンカーが、本明細書で使用される場合、軟質縫合糸アンカーおよび硬質縫合糸アンカーを含むことができる。軟質縫合糸アンカーは、直径が骨穴のサイズよりも大きくなるように変形することにより、事前に形成された骨穴内に保持される縫合材料のフィラメントから形成され、それにより、海綿状骨内および骨皮質下に存在する。こうした一つの縫合糸アンカーが米国特許第９８２６９７１号で開示されている。軟質アンカーは通常、完全に縫合材料で作られているため、それらは「全縫合」アンカーと呼ばれることもあり、一般に繊維状構築物のアンカー本体部分（または、米国特許第９１７３６５２号に記載されているように、可撓性のウェブなどの繊維状、編組または織布タイプの構造）および、縫合糸またはフィラメント部分を含み、米国特許第９１７３６５２号の全体が本明細書に参照として組み込まれる。このような全縫合糸アンカーを挿入／配置するための方法および装置は公知であり、その例は、米国特許第９１７３６５２号に開示される。
【００１８】
米国特許第８４０９２５２号に記述されるように、例えば、「非軟質」、「硬い」または「硬質」縫合糸アンカーは、一般に「硬い」アンカー本体部分（内側部材および外部部材を含んでもよいし、含まなくてもよい）および縫合糸／フィラメント部分を含む。こうした縫合糸アンカーのアンカー本体は、生体適合性および／または生体吸収性材料で形成され得る。これらの材料は、例えば、骨の治癒過程の間、身体によって再吸収されるこうした組成物のものであり得る。内側および外側部材での使用に適した例示的な材料には、ポリエーテルエーテルケトン（「ＰＥＥＫ」）、ポリ乳酸／β−リン酸三カルシウム（「ＰＬＡ／ベータ−ＴＣＰ」）複合材料、超高分子重量ポリエチレン（「ＵＨＭＷＰＥ」）、およびその他の金属、非金属、高分子材料が含まれるが、これらに限定されない。
【００１９】
図２に示すように、縫合糸３００の第一の端３０２は、スプール２０４内の開口部２１０を通して引っ張られて、スプール２０４の周りに巻かれる際に縫合糸３００がほぐれることが防止されうる。別の実施形態では、スプール２０４は従来的なスロット、フック、またはコネクタを有して、縫合糸３００の第一の端３０２を固定してもよい。縫合糸３００は、図２に示す通り、縫合糸３００の第２の端３０４がドライバー１０８の近くにハンドル１０２から遠位に延在するように、スプール２０４から延在する。図１０に示す実施形態では、ハンドル１０２は、くぼみ１１０からハンドル１０２上のドライバー１０２に隣接する位置に延在するスロット１１４またはその他の開口部を含む。
【００２０】
ここで図３を参照すると、一実施形態による、縫合糸アンカードライバー１００の張力機構２００の戻り止めリング２０２の概略斜視図が示されている。図示した実施形態では、戻り止めリング２０２は、戻り止めリング２０２がハンドル１０２のくぼみ１１０内に配置された時に、張力機構２００のシャフト２０６を収容する中央開口部２１２を含む。戻り止めリング２０２はまた、戻り止めリング２０２の表面２１６から延在する一つ以上のフィンガー様の突起２１４を含む。フィンガー様の突起２１４は、以下に説明するようにスプール２０４を係合する。
【００２１】
図１〜図２に戻ると、スプール２０４は同様に、ハンドル１０２のくぼみ１１０内にシャフト２０６を収容するための中央開口部２１３を含む。スプール２０４はまた、そこから延在する複数の隆起、歯またはその他の突出部２１８を含む。歯２１８は、スプール２０４から戻り止めリング２０２の表面２１６に向かって延在する。戻り止めリング２０２およびスプール２０４がくぼみ１１０内に取り付けられると、戻り止めリング２０２のフィンガー様の突起２１４がスプール２０４の歯２１８に隣接する。
【００２２】
ここで図４および図５を参照すると、一実施形態による、第一の構成および第二の構成におけるスプール２０４および戻り止めリング２０２の概略切欠側面図がそれぞれ示されている。第一の構成では、図４に示す通り、戻り止めリング２０２の突起２１４は、スプール２０４の二つの歯２１８の間のギャップ２２０内にある。張力機構２００を第二の構成に移動させるためには、スプール２０４を回転させる。スプール２０４は、縫合糸３００に牽引力が印加されると回転する。縫合糸３００への牽引力により、スプール２０４に対してトルクがかかってスプール２０４が回転する。
【００２３】
スプール２０４は、スプール２０４の歯２１８の間のギャップ２２０内に延在する戻り止めリング２０２の突起２１４、またはスプール２０４の歯２１８上の捕捉のために回転に抵抗する。回転に対する抵抗は、縫合糸３００に取り付けられたアンカー（図示せず）に力を印加する。力は、配置可能な縫合糸アンカー（図示せず）を拡張させる、あるいはその最終形状に向けて形成させる。力は、図５に示すように、戻り止めリング２０２の突起２１４が抵抗または牽引力を克服して、歯２１８間のギャップ２２０から移動して複数の歯２１８のうちの一つと整列するまで縫合糸に対して印加される。縫合糸３００にかかる追加的な張力により、戻り止めリング２０２の突起２１４が隣接するギャップ２２０内に移動し、ここでスプール２０４は回転に対して抵抗する。上述のように、抵抗は縫合糸アンカー（図示せず）に力を印加し、縫合糸アンカーをその最終形状へと配置または形成させる。こうして、張力は、選択された数のスプール２０４の回転を通して、縫合糸アンカー（図示せず）に選択的に印加されうる。
【００２４】
ここで図６および図７を参照すると、代替的な実施形態による縫合糸アンカードライバー１００の概略部分分解斜視図が示されている。図示した実施形態では、アンカードライバー１００の張力機構２００の戻り止めリング２０２は、図１〜図２の実施形態に示す突起２１４の代わりに一つ以上のアーム２１４’を含む。図７では、アーム２１４’は半径方向に延在するが、図１〜図２では、突起２１４は戻り止めリング２０２の表面２１６からハンドル１０２の第一の側面１１２に向かって延在する。半径方向アーム２１４’を収容するために、図６〜図７のスプール２０４の実施形態は、スプール２０４の中央開口部２１３に向かって内側に延在する放射状の隆起、歯またはその他の突出部２１８’を含む。
【００２５】
ここで図８および９を参照すると、代替的な実施形態による（図６〜図７および図１０に関連して示され説明される代替的な実施形態の一部分に適用および実質的に例示できる）第一の構成および第二の構成における、アンカードライバー１００の戻り止めリング２０２およびスプール２０４の概略側面図がそれぞれ示されている。第一の構成では、図８に示すとおり、戻り止めリング２０２のアーム２１４’は、スプール２０４の歯２１８’の間のギャップ２２０’内にある。張力機構２００を第二の構成に移動させるためには、スプール２０４を縫合糸３００に印加された牽引力によって回転させる。上述のように、スプール２０４は回転に抵抗し、縫合糸アンカー（図示せず）に力を印加して、縫合糸アンカーを部分的に配置する。スプール２０４は、図９に示すように戻り止めリング２０２のアーム２１４’が最終的に歯２１８’の間のギャップ２２０’から移動して歯２１８’と整列するまで、回転に抵抗する。上述のように、スプール２０４の継続的な回転はそれぞれ、縫合糸３００および縫合糸アンカー（図示せず）に追加的な力を印加し、縫合糸アンカー（図示せず）を配置する。
【００２６】
ここで図１０を参照すると、別の代替的な実施形態による、縫合糸アンカードライバー１００の概略部分分解斜視図が示されている。図６〜図９に示す実施形態と同様に、図１０のアンカードライバー１００は、そこから半径方向に延在するアーム２１４’を有する戻り止めリング２０２を有する。放射状のアーム２１４’は、図１０に示す通り、スプール２０４の放射状の隆起、歯、またはその他の突出部２１８’を係合する。しかしながら、図１０に示す実施形態では、張力機構２００のシャフト２０６’は、プロング端２０８（図１に示す）を有さない。図示した実施形態では、シャフト２０６’は剛性管であり、円筒形の形状である。戻り止めリング２０２およびスプール２０４をハンドル１０２のくぼみ１１０内に維持するために、張力機構２００は追加的に締結具２２２を含む。図示した実施形態では、締結具２２２は、そこから中央に延在するステム２２６を有するキャップ２２４である。使用時には、締結具２２２のステム２２６は、スプール２０４の開口部２１３および戻り止めリング２０２内の開口部２１２を通して、さらに管状シャフト２０６’内の内側チャネル２２８を通して配置される。
【００２７】
ここで図１１〜図１３を参照すると、さらに別の代替的な実施形態による、第一の構成と第二の構成との間の縫合糸アンカードライバー４００の概略側面図が示されている。図１１〜図１３に示す実施形態では、アンカードライバー４００は、中央長手方向ｙ−ｙ軸に沿って近位端４０４から遠位端４０６に延在するハンドル４０２を備える。ハンドル４０２は、プラスチックまたは任意のその他の適切な材料からなり、ユーザーの手の中に適合するように人間工学的に設計された任意の形状でありうる（図１〜図１０に示す実施形態と併せて説明するように）。図１１に示すアンカードライバー４００はまた、ハンドル４０２の遠位端４０６内に延在するドライバー４０８も備える。ドライバー４０８は、金属（または任意のその他の適切な材料）からなってもよく、中央長手方向ｙ−ｙ軸に沿って遠位端４０６から遠位に延在する。図１１に示すように、ハンドル４０２は、張力機構５００のスプール５０４を受容するくぼみ４１０を含む。図示した実施形態では、スプール５０４はくぼみ４１０内にスライドし、ハンドル４０２のアームまたはロッドなどの張力機構５００のバリア部材５０２によってくぼみ４１０内に保持される。
【００２８】
図１４〜図１７を簡単に参照すると、さらに別の代替的な実施形態による、スプール５０４および縫合糸構成要素６００の様々な図が示されている。図１４は、縫合糸アンカードライバー４００のスプール５０４および縫合糸構成要素６００の斜視図を示す。縫合糸構成要素６００は、その中に埋め込まれた、あるいはフックされた針６０４を有する発泡体ブロック６０２と、針６０４に取り付けられた縫合糸６０６の長さとを含む。縫合糸構成要素６００はまた、縫合糸３００の長さ上に縫合糸アンカー３０６を含む。図示した実施形態では、針６０４は湾曲しているか、またはフック状である。
【００２９】
図１５は、第一の表面５０６と第二の表面５０８を有し、それらの間に少なくとも部分的に分離された第一のチャネル５１０および第二のチャネル５１２を有する、スプール５０４の一実施形態を示す。図１５および図１６（および図１１）の両方に示すように、スプール５０４の第二の表面５０８は、複数の半径方向に延在する歯５１４を含む。スプール５０４の第二のチャネル５１２は、図１６に示す通り、発泡体ブロック６０２を収容またはその他の方法で収納するように構成されたくぼみ５１６を含む。
【００３０】
針６０４は湾曲しているか、またはフック状であるため、針６０４は、発泡体ブロック６０２がスプール５０４のくぼみ５１６内に挿入された時に、第二のチャネル５１２に沿って延在する。図１７に示すように、針６０４に取り付けられた縫合糸６０６の長さは、第一のチャネル５１０の周りに巻かれる。針６０４に取り付けられた縫合糸６０６の長さがスプール５０４に装填された後、スプール５０４はハンドル４０２のくぼみ４１０内に配置される。図１１に示すように、スプール５０４は、第二の表面５０８および歯５１４がハンドル４０２のバリア部材５０２に隣接するように、くぼみ４１０内に配置される。縫合糸アンカー３０６（および取り付けられた縫合糸３００）もまた、ドライバー４０８上に装填される。
【００３１】
さらに図１１を参照すると、ハンドル４０２は、アンカードライバー４００が第一の構成にある時に、歯止め４１２またはスプール５０４の複数の歯５１４のうちの二つの間のギャップ５１８内に延在するその他の類似の突出部を有するロックアーム４１６を追加的に含む。第一の構成では、縫合糸アンカー３０６を固定の張力を有する縫合糸３００と共に挿入しうるように、歯止め４１２は、スプール５０４がハンドル４０２のくぼみ４１０内で回転することを防止する。具体的には、縫合糸アンカー３０６は、縫合糸３００にかかる張力によって、ハンドル４０２のスプール５０４に接続されている予め形成された穴（または骨穴）内に挿入される。スプール５０４は回転できないため、縫合糸３００にスラック（または張力の低減）が導入されない。縫合糸アンカー３０６上に固定の張力がかかると、図１２に示す通り、ドライバー４０８によって縫合糸アンカー３０６がガイド７００を通して骨穴に挿入される。
【００３２】
ここで図１３を参照すると、さらに別の代替的な実施形態による、第二の構成における縫合糸アンカードライバー４００の側面図が示されている。図示した実施形態では、ドライバー４０８は、ガイド７００内に可能な限り遠くに進んでいる。ガイド７００は、歯止め４１２を有するロックアーム４１６に隣接するハンドル４０２内のスロット４１４に入る特徴７０２を含む。ドライバー４０８がガイド７００の中へと可能な限り遠くに延在するのにつれて、ガイド７００の特徴７０２がスロット４１４に入り、ロックアーム４１６をスプール５０４から離れる方向に偏向させる。ロックアーム４１６がスプール５０４から離れる方向に偏向するため、歯止め４１２はスプール５０４の歯５１４の間のギャップ５１８を係合解除する。次いで、スプール５０４がハンドル４０２のくぼみ４１０内で自由にスピンする、あるいは回転する。スプール５０４はくぼみ４１０内でスピンできるため、針６０４および取り付けられた縫合糸６０６の長さ、および縫合糸３００（縫合糸アンカー３０６に接続された）がハンドル４０２からほどかれ（すなわち、取り外され）、縫合糸アンカー３０６の配置が完了しうる。
【００３３】
本明細書で定義され使用されるすべての定義は、辞書の定義、参照により組み込まれる文書内の定義、および／または定義された用語の通常の意味を制御するために理解されるべきである。
【００３４】
本明細書で様々な実施形態が説明され、図示されてきたが、当業者は、本明細書に記載の機能を実施し、および／または結果および／または一つもしくは複数の利点を得るための様々な他の手段、および／または構造を容易に想起するであろうし、そのような変形および／または変更の各々は、本明細書に記載の実施形態の範囲内であると見なされる。より一般的に、当業者は、本明細書に記載されるすべてのパラメータ、寸法、材料、および構成が、例示的であり、実際のパラメータ、寸法、材料、および／または構成が、教示が使用される一つまたは複数の特定の用途に依存することを容易に理解するであろう。当業者は、本明細書に記載される特定の実施形態に対する多数の同等物を単に通常の実験を用いて認識することができ、または確認することができる。従って、前述の実施形態は、単に例示的なものとして提示されており、添付した特許請求の範囲およびその等価物の範囲内で、実施形態は、具体的に説明および請求された以外のその他の方法で、実行できることが理解されよう。本開示の実施形態は、本明細書に記載される個々の特徴、システム、物品、材料、キット、および／または方法を対象とする。さらに、こうした特徴、システム、物品、材料、キット、および／または方法が相互に矛盾しない場合、二つ以上のこうした特徴、システム、物品、材料、キット、および／または方法の任意の組み合わせが、本開示の範囲内に含まれる。
【００３５】
本明細書で使用される用語は、特定の実施形態のみを説明する目的のためであり、本発明を限定することを意図していない。本明細書で使用されるように、単数形「ａ」、「ａｎ」および「ｔｈｅ」は、文脈がそうでないことを明確に示さない限り、複数形も含むことが意図される。用語「備える（ｃｏｍｐｒｉｓｅ）」（および「備える（ｃｏｍｐｒｉｓｅｓ）」や「備える（ｃｏｍｐｒｉｓｉｎｇ）」などのｃｏｍｐｒｉｓｅの任意の形式）、「有する（ｈａｖｅ）」（および「有する（ｈａｓ）」や「有する（ｈａｖｉｎｇ）」などのｈａｖｅの任意の形式）、「含む（ｉｎｃｌｕｄｅ）」（および「含む（ｉｎｃｌｕｄｅｓ）」や「含む（ｉｎｃｌｕｄｉｎｇ）」などのｉｎｃｌｕｄｅの任意の形式）、および「包含する（ｃｏｎｔａｉｎ）」（および「包含する（ｃｏｎｔａｉｎｓ）」や「包含する（ｃｏｎｔａｉｎｉｎｇ）」などのｃｏｎｔａｉｎの任意の形式）は、オープンエンドのリンク動詞であることがさらに理解されるだろう。結果として、一つまたは複数のステップまたは要素を「備える（ｃｏｍｐｒｉｓｅ）」、「有する（ｈａｖｅ）」、「含む（ｉｎｃｌｕｄｅ）」または「包含する（ｃｏｎｔａｉｎ）」方法またはデバイス。同様に、一つまたは複数の特徴を「備える（ｃｏｍｐｒｉｓｅ）」、「有する（ｈａｖｅ）」、「含む（ｉｎｃｌｕｄｅ）」または「包含する（ｃｏｎｔａｉｎ）」方法のステップ、またはデバイスの要素は、それら一つまたは複数の特徴を有するが、それらの一つまたは複数の特徴のみを保持することに限定されない。さらに、特定の方法で構成されるデバイスまたは構造は、少なくともそのように構成されるが、リストされていない方法で構成することもできる。
【００３６】
以下の特許請求の範囲の全ての手段またはステッププラス機能要素の対応する構造、材料、行為および同等物は、もしあれば、具体的に請求される他の特許請求の要素と組み合わせて、機能を実行するための構造、材料または行為を含むことを意図している。本発明の説明は、例示および説明の目的で提示されてきたが、本発明に開示された形態で網羅的または限定されるものではない。多くの修正および変形は、本発明の範囲および趣旨から逸脱することなく、当業者には明らかであろう。実施形態は、本発明の一つまたは複数の態様の原理および実際の応用を最もよく説明し、当業者が、考えられる特定の用途に適した様々な修正を有する様々な実施形態について本発明の一つまたは複数の態様を理解できるように選択および説明された。
【図１】
2021516585.tif 000003
【図２】
2021516585.tif 000004
【図３】
2021516585.tif 000005
【図４】
2021516585.tif 000006
【図５】
2021516585.tif 000007
【図６】
2021516585.tif 000008
【図７】
2021516585.tif 000009
【図８】
2021516585.tif 000010
【図９】
2021516585.tif 000011
【図１０】
2021516585.tif 000012
【図１１】
2021516585.tif 000013
【図１２】
2021516585.tif 000014
【図１３】
2021516585.tif 000015
【図１４】
2021516585.tif 000016
【図１５】
2021516585.tif 000017
【図１６】
2021516585.tif 000018
【図１７】
2021516585.tif 000019
【国際調査報告】
2021516585.tif 000020
2021516585.tif 000021
2021516585.tif 000022
2021516585.tif 000023
2021516585.tif 000024